(57)【要約】【課題】既存の強電タイプの警報表示装置の各警報出力回路に対して、印加電圧の種類や電圧値の事前調査をすることなく、また、リレー回路を設けることなしで監視信号出力回路を接続できるとともに、既存の弱電タイプの警報表示装置の各警報接点回路に対して、監視信号出力回路を直接接続できる監視装置を提供する。【解決手段】監視装置３１は、強電タイプの警報表示装置の各警報出力回路３２〜３５毎に、直接監視信号出力回路１を接続するものであり、警報出力回路の印加電圧の極性や電圧値の事前調査をすることなく、また、リレー回路等の変換装置を設けることなしで、既設の監視信号回路に対して新たに監視装置を付設することができる。監視装置４１は、弱電タイプ警報接点回路４２〜４４毎に、直接監視信号出力回路１１を接続するものであり、既設の警報接点回路に対して新たに監視装置を付設することができる。【選択図】図３
2006195717.tif 000002
【特許請求の範囲】
【請求項１】
複数の警報出力回路の各出力電圧に共通的に対応できるように、双方向性フォトカプラの電圧入力回路に制限電流抵抗を介装し、前記警報出力回路が閉成されたときの出力電圧により、該双方向性フォトカプラの作動に必要な電流が流れて、監視信号を出力するようにした同一構成の監視信号出力回路を、前記複数の警報出力回路毎にそれぞれ接続したことを特徴とする監視装置。
【請求項２】
複数の警報接点回路の異なる接点電圧に共通的に対応できるように、双方向性フォトカプラの接点電圧入力回路に、絶対値で前記接点電圧より少ない値で極性が異なる電圧をそれぞれ印加するとともに、前記接点電圧に伴う作動電流が前記双方向性フォトカプラに流れないようにした電圧印加回路と、該電圧印加回路を接点電圧の極性に応じて予め切換える切換えスイッチとを設けて、前記警報接点回路が閉成されたとき、前記電圧印加回路の印加電圧により前記双方向性フォトカプラの作動に必要な電流が流れて、監視信号を出力するようにした同一構成の監視信号出力回路を、前記複数の警報接点回路毎にそれぞれ接続したことを特徴とする監視装置。
【請求項３】
複数の警報出力回路の各出力電圧に共通的に対応できるように、双方向性フォトカプラの電圧入力回路に制限電流抵抗を介装し、前記警報出力回路が閉成されたときの出力電圧により、該双方向性フォトカプラの作動に必要な電流が流れて、監視信号を出力するようにした同一構成の監視信号出力回路を、前記複数の警報出力回路毎にそれぞれ接続するとともに、
複数の警報接点回路の異なる接点電圧に共通的に対応できるように、双方向性フォトカプラの接点電圧入力回路に、絶対値で前記接点電圧より少ない値で極性が異なる電圧をそれぞれ印加するとともに、前記接点電圧に伴う作動電流が前記双方向性フォトカプラに流れないようにした電圧印加回路と、該電圧印加回路を接点電圧の極性に応じて予め切換える切換えスイッチとを設けて、前記警報接点回路が閉成されたとき、前記電圧印加回路の印加電圧により前記双方向性フォトカプラの作動に必要な電流が流れて、監視信号を出力するようにした同一構成の監視信号出力回路を、前記複数の警報接点回路毎にそれぞれ接続して、
構成したことを特徴とする監視装置。
【発明の詳細な説明】
【技術分野】
【０００１】
本発明は、監視装置に関するものである。
【背景技術】
【０００２】
スーパー・百貨店等の商業施設等に設置される警報表示装置としては、（１）警報表示灯を点灯させたり、ブザー等を作動させる強電タイプ（１２〜２００Ｖ）のものと、（２）発光ダイオード（以下、ＬＥＤという）や液晶ディスプレイ等を点灯させる弱電タイプ（１２Ｖ以下）のものがある。これら既設の警報表示装置に対して、新たに監視装置を接続する場合には、該監視装置の監視信号出力回路が全て接点の閉信号を監視信号として出力するように設計されているため、以下に述べる問題点がある。
【０００３】
上記（１）の強電タイプの警報表示装置の警報表示回路は、多くの場合警報表示のみで警報出力接点を有していない。従って、警報表示装置の複数の警報表示回路毎に、リレー回路を接続してリレーの作動により監視信号出力回路の接点を閉成する必要がある。このためには、各警報表示回路に印加される電圧が交流か直流か或いは印加電圧値を計測する事前調査を行ない、適格のリレー回路を警報表示回路毎に接続する必要がある。これらの事前調査は、大規模事業所や施設のように多数の警報表示回路が設置されている場合には、非常に面倒な作業となってしまうという問題点がある。
【０００４】
また、（２）の弱電タイプの警報表示装置の警報表示回路の場合は、監視装置の監視信号出力回路を接続して接点の閉信号を取り込むためには、各接点に弱電流を流す必要がある。さらに、警報表示回路はＬＥＤや液晶ディスプレイの表示のために既に接点は使用されていて、この回路に監視信号出力回路を接続すれば警報表示装置そのものに影響を与えてしまう。そして、弱電タイプの警報表示装置のＬＥＤや液晶ディスプレイ等の回路基板にリレー回路を追加することは不可能である。このため、弱電タイプの警報表示装置の警報表示回路から接点の閉信号を取り込むことは、実際上できなかったという問題点がある。
【特許文献１】なし
【発明の開示】
【発明が解決しようとする課題】
【０００５】
本発明は上記問題点を解決するためになされたもので、既存の強電タイプの警報表示装置の各警報出力回路に対して、印加電圧の種類や電圧値の事前調査をすることなく、また、リレー回路を設けることなしで監視信号出力回路を接続できるとともに、既存の弱電タイプの警報表示装置の各警報接点回路に対して、監視信号出力回路を直接接続できる監視装置を提供することを目的とする。
【課題を解決するための手段】
【０００６】
上記問題点を解決するための請求項１に記載の監視装置は、複数の警報出力回路の各出力電圧に共通的に対応できるように、双方向性フォトカプラの電圧入力回路に制限電流抵抗を介装し、前記警報出力回路が閉成されたときの出力電圧により、該双方向性フォトカプラの作動に必要な電流が流れて、監視信号を出力するようにした同一構成の監視信号出力回路を、前記複数の警報出力回路毎にそれぞれ接続したことを特徴とする。
【０００７】
また、請求項２に記載の監視装置は、複数の警報接点回路の異なる接点電圧に共通的に対応できるように、双方向性フォトカプラの接点電圧入力回路に、絶対値で前記接点電圧より少ない値で極性が異なる電圧をそれぞれ印加するとともに、前記接点電圧に伴う作動電流が前記双方向性フォトカプラに流れないようにした電圧印加回路と、該電圧印加回路を接点電圧の極性に応じて予め切換える切換えスイッチとを設けて、前記警報接点回路が閉成されたとき、前記電圧印加回路の印加電圧により前記双方向性フォトカプラの作動に必要な電流が流れて、監視信号を出力するようにした同一構成の監視信号出力回路を、前記複数の警報接点回路毎にそれぞれ接続したことを特徴とする。
【０００８】
請求項３に記載の監視装置は、複数の警報出力回路が閉成されたときの各出力電圧に共通的に対応できるように、双方向性フォトカプラの電圧入力回路に制限電流抵抗を介装して、前記警報出力回路の出力により該双方向性フォトカプラの作動に必要な電流が流れるようにした同一構成の監視信号出力回路を複数用意し、前記複数の警報出力回路のそれぞれに接続するとともに、複数の警報接点回路の異なる接点電圧に共通的に対応できるように、双方向性フォトカプラの接点電圧入力回路に、絶対値で前記接点電圧より少ない値で極性が異なる電圧をそれぞれ印加するとともに、前記接点電圧に伴う作動電流が前記双方向性フォトカプラに流れないようにした電圧印加回路と、該電圧印加回路を接点電圧の極性に応じて予め切換える切換えスイッチとを設けて、前記警報接点回路が閉成されたとき、前記電圧印加回路の印加電圧により前記双方向性フォトカプラの作動に必要な電流が流れて、監視信号を出力するようにした同一構成の監視信号出力回路を、前記複数の警報接点回路毎にそれぞれ接続して、構成したことを特徴とする。
【発明の効果】
【０００９】
請求項１に記載の構成の監視装置によれば、既存の強電タイプの警報表示装置の各警報出力回路に対して、印加電圧の種類や電圧値の事前調査をすることなく、また、リレー回路等の変換装置を設けることなく監視信号出力回路を直接接続できる。
【００１０】
請求項２に記載の構成の監視装置によれば、既存の弱電タイプの警報表示装置の各警報接点回路に対して、監視信号出力回路を直接接続できる。
【００１１】
請求項３に記載の監視装置によれば、複数の強電タイプの警報出力回路と、複数の弱電タイプの警報接点回路が混在する警報表示装置に対して、それぞれのタイプに応じた監視信号出力回路を直接接続できる。
【発明を実施するための最良の形態】
【００１２】
強電タイプの警報表示装置の各警報出力回路に対して、印加電圧の極性や電圧値の事前調査をすることなく、また、リレー回路等の変換装置を設けることなしで監視信号出力回路を接続できる監視装置を提供するという目的を、複数の警報出力回路が閉成されたときの各出力電圧に共通的に対応できるように、双方向性フォトカプラの電圧入力回路に制限電流抵抗を介装して、警報出力回路が閉成されたときの出力電圧により、該双方向性フォトカプラの作動に必要な電流が流れて監視信号を出力する同一構成の監視信号出力回路を、各警報出力回路毎に接続することで実現した。
【００１３】
また、弱電タイプの警報表示装置の各警報接点回路に対して、監視信号出力回路を直接接続できる監視装置を提供するという目的を、複数の警報接点回路の異なる接点電圧に共通的に対応できるように、双方向性フォトカプラの接点電圧入力回路に、絶対値で接点電圧より少ない値で極性が異なる電圧をそれぞれ印加するとともに、接点電圧に伴う作動電流が前記双方向性フォトカプラに流れないようにした電圧印加回路と、該電圧印加回路を接点電圧の極性に応じて予め切換える切換えスイッチとを設けて、警報接点回路が閉成されたとき双方向性フォトカプラの作動に必要な流れて監視信号を出力する同一構成の監視信号出力回路を、各警報接点回路毎に接続することにより実現した。
【実施例】
【００１４】
本発明の実施例について、添付図面を参照して説明する。図１は、警報ランプや警報ブザー等の強電（１２〜２００Ｖ）タイプの警報出力回路に接続される監視信号出力回路１を示したものである。監視信号出力回路１は、両端に接続端子２ａ，２ｂを設けた電圧入力回路３に、双方向性フォトカプラ（以下、単にフォトカプラという）４の２個のフォトダイオード５ａ，５ｂが向きを互いに逆にして並列に接続されている。電圧入力回路３には、接続端子２ａとフォトカプラ４間に制限電流抵抗Ｒ１（１５ｋΩ）と、フォトカプラ４と接続端子２ｂ間に制限電流抵抗Ｒ２（１５ｋΩ）が接続され、フォトカプラ４と並列に保護抵抗Ｒ３（１ｋΩ）が接続されている。
【００１５】
フォトカプラ４のフォトトランジスタ６のエミッタ端子は、抵抗Ｒ４を介して接地されるとともに、増幅用トランジスタ７のベースに接続されている。増幅用トランジスタ７のエミッタ端子は接地されている。フォトトランジスタ６と増幅用トランジスタ７のコレクタ端子にはプルアップ回路８が接続され、プルアップ抵抗Ｒ５を介して直流電圧Ｖｃｃ（＋１２Ｖ）にプルアップされている。プルアップ回路８には、監視信号出力端子９が接続されている。
【００１６】
上記構成の監視信号出力回路１は、電圧入力回路３の接続端子２ａ，２ｂを強電（１２〜２００Ｖ）タイプの警報出力回路１０に接続する。警報出力回路１０が直流であろうと交流であろうと電圧値が１２〜２００Ｖの範囲であれば、該警報出力回路１０が閉成して警報が表示されると、制限電流抵抗Ｒ１及びＲ２を介装した電圧入力回路３には、フォトダイオードタ５ａ，５ｂの何れかにフォトカプラ４の作動に必要な電流が流れる。これにより、フォトトランジスタ６に電流が流れ、増幅用トランジスタ７により増幅されて、プルアップ回路８に接続された監視信号出力端子９に監視信号が出力される。警報出力回路１０の電源が交流である場合は、出力される監視信号が脈流となる。このため、コンデンサを用いた平滑回路やコンピュータのプログラムによりソフト的に信号処理して、所定電圧の監視信号を得ている。
【００１７】
図２は、発光ダイオード（以下、ＬＥＤという）を点灯させる弱電タイプ（１２Ｖ以下）の警報接点回路に接続される監視信号出力回路１１を示したものである。監視信号出力回路１１は、接続端子１２ａとアース接続端子１２ｂを設けた接点電圧（Ｖｘ）の電圧入力回路１３に、フォトカプラ１４のフォトダイオード１５ａ，１５ｂが向きを互いに逆にして並列に接続されている。電圧入力回路１３には、抵抗Ｒ６が介装されている。フォトカプラ１４のフォトトランジスタ１６のエミッタ端子は接地されている。フォトトランジスタ１６のコレクタ端子にはプルアップ回路１８が接続され、プルアップ抵抗Ｒ７を介して直流電圧Ｖｃｃ（＋１２Ｖ）にプルアップされている。プルアップ回路１８には、監視信号出力端子１９が接続されている。
【００１８】
また、上記電圧入力回路１３にはジャンパースイッチ２０が接続されている。該ジャンパースイッチ２０には、その切換えにより電圧入力回路１３に対して＋Ｖｂ若しくは−Ｖｂの極性の異なる正負の電圧（Ｖｘ＞｜Ｖｂ｜）を印加する電圧印加回路２１ａ，２１ｂが接続されている。さらに、電圧印加回路２１ａ，２１ｂには、それぞれダイオード２２ａ，２２ｂが介装されている。ダイオード２２ａ，２２ｂは、電圧入力回路１３を警報接点回路２４に接続したとき、その接点電圧Ｖｘにより、フォトカプラ１４に作動電流が流れないようにするものである。
【００１９】
上記構成の監視信号出力回路１１は、電圧入力回路１３の接続端子１２ａとアース端子１２ｂを、弱電（１２Ｖ以下）タイプのＬＥＤ警報表示基板２３の警報接点回路２４に接続する。警報接点回路２４の正負の極性が不詳であっても、電圧値が±１２以下であれば、該警報接点回路２４が閉成してＬＥＤが点灯すると、フォトダイオード１５ａ，１５ｂの何れかに、以下に説明するようにフォトカプラ１４の作動に必要な電流が流れる。
【００２０】
接点電圧Ｖｘの極性が正の場合、予めジャンパースイッチ２０が＋Ｖｂの電圧印加回路２１ａ側に切り替えられている。このように切り替えられていると、警報接点回路２４が開いていてＶｘ＞＋Ｖｂであっても、電圧印加回路２１ａに介装したダイオード２２ａにより、フォトカプラ１４のフォトダイオード１５ｂに電流がながれることがない。警報接点回路２４が閉成してＬＥＤが点灯すると、電圧入力回路１３の電位がアース電位に下がり、電圧印加回路２１ａの電圧Ｖｂにより、フォトダイオードタ１５ａにフォトカプラ１４の作動に必要な電流が流れ、プルアップ回路１８に接続された監視信号出力端子１９に監視信号が出力される。
【００２１】
また、接点電圧Ｖｘの極性が負の場合、予めジャンパースイッチ２０が−Ｖｂの電圧印加回路２１ｂ側に切り替えられている。このように切り替えられていると、警報接点回路２４が開いていて−Ｖｘ＜−Ｖｂであっても、電圧印加回路２１ｂに介装したダイオード２２ｂにより、フォトカプラ１４のフォトダイオード１５ａに電流がながれることがない。従って、警報接点回路２４が閉成してＬＥＤが点灯すると、電圧入力回路１３の電位がアース電位に下がり、電圧印加回路２１ｂに向かってフォトダイオード１５ｂにフォトカプラ１４の作動に必要な電流が流れ、プルアップ回路１８に接続された監視信号出力端子１９に監視信号が出力される。
【００２２】
図３は、同一構成の監視信号出力回路１を複数備えた監視装置３１と、同一構成の監視信号出力回路１１を複数備えた監視装置４１を組み合わせた遠隔監視システムの概略ブロック図である。この遠隔監視システムは、監視装置３１と監視装置４１とを、例えばスーパー・百貨店等の商業施設の既設の警報表示盤等に接続して構築した例を示したものである。監視装置３１からの監視信号と、監視装置４１からの監視信号は、アスキーコード変換器５１で各監視信号毎にコード変換され、続くメール作成器５２で監視情報メールが作成されて、メール送信機５３により所定のアドレスの送付先５４に送付されるようにして、遠隔監視を行なうものである。
【００２３】
監視装置３１の各監視信号出力回路１のそれぞれには、商業施設の警報表示回路である、交流２００Ｖの警報表示灯を点灯させる無極性の警報ランプ表示回路３２、交流１００Ｖの警報ブザーを鳴らす無極性の警報ブザー回路３３、交流２４Ｖのパイロットランプを点灯させる無極性のパイロットランプ点灯回路３４、その他直流１２Ｖの有極性の警報出力回路３５等の何れか一つが接続されている。
【００２４】
また、監視装置４１の各監視信号出力回路１１のそれぞれには、ＬＥＤ警報表示基板の正のバイアス電圧が印加された極性を有する警報接点回路４２、負のバイアス電圧が印加された極性を有する警報接点回路４３、無極性のメーク接点出力回路４４等の何れか一つが接続されている。
【００２５】
監視装置３１の各監視信号出力回路１毎に、一つの警報出力回路に接続され、監視装置４１の各監視信号出力回路１１毎に、一つの警報接点回路に接続されている。従って、各監視信号が出力されると上記したように各監視信号毎にコード変換され監視情報メールが作成されて所定の送信先に送信される。
【００２６】
以上説明で明らかなように、監視装置３１は、強電タイプの警報表示装置の各警報出力回路３２〜３５毎に、直接監視信号出力回路１を接続するものであり、警報出力回路の印加電圧の極性や電圧値の事前調査をすることなく、また、リレー回路等の変換装置を設けることなしで、既設の警報出力回路に対して新たに監視装置を付設することができる。
【００２７】
また、監視装置４１は、弱電タイプの警報接点回路４２〜４４毎に、直接監視信号出力回路１１を接続するものであり、既設の警報接点回路に対して新たに監視装置を付設することができる。
【００２８】
そして、上記したように監視装置３１と監視装置４１を組み合わせた遠隔監視システムを既設の商業施設等に対して構築することができる。
【図面の簡単な説明】
【００２９】
【図１】監視信号出力回路１を示した回路図である。
【図２】監視信号出力回路１１を示した回路図である。
【図３】監視装置３１と監視装置４１を組み合わせた遠隔監視システムの概略のブロック図である。
【符号の説明】
【００３０】
１，１１  監視信号出力回路
３  電圧入力回路
４，１４  フォトカプラ
１０  警報出力回路
１３  接点電圧入力回路
２０  ジャンパースイッチ
２１ａ，２１ｂ  電圧印加回路
２４  警報接点回路  
【図１】
2006195717.tif 000003
【図２】
2006195717.tif 000004
【図３】
2006195717.tif 000005